(57)【要約】【課題】アンテナによる送受信可能な方向が限定されるという問題を解決する。【解決手段】カメラは、カメラ本体に設けられ、被写体像を撮像して画像を取得する撮像素子１１２と、カメラ本体に入射した撮像素子１１２への被写体像光束を反射する反射部材１１０と、反射部材１１０により反射された被写体像光束が入射するファインダ装置２と、アンテナ２０５を介して無線により外部機器と情報の送信または受信を行なう無線通信部２０４とを備える。アンテナ２０５はファインダ装置２に設けられる。【選択図】図２
2008244735.tif 000002
【特許請求の範囲】
【請求項１】
カメラ本体に設けられ、被写体像を撮像して画像を取得する撮像素子と、
前記カメラ本体に入射した、前記撮像素子への被写体像光束を反射する反射部材と、
前記反射部材により反射された被写体像光束が入射するファインダ装置と、
アンテナを介して無線により外部機器と情報の送信または受信を行なう無線通信部とを備え、
前記アンテナを前記ファインダ装置に設けたことを特徴とするカメラ。
【請求項２】
請求項１に記載のカメラにおいて、
前記ファインダ装置は、前記入射した被写体像光束を接眼光学系へ導く光学部材を備え、
前記アンテナおよび前記無線通信部は、前記光学部材に対して前記撮像素子へ入射する被写体像光束の光軸とは反対側に配置されることを特徴とするカメラ。
【請求項３】
請求項２に記載のカメラにおいて、
前記光学部材はペンタプリズムまたはペンタミラーであることを特徴とするカメラ。
【請求項４】
請求項１に記載のカメラにおいて、
前記ファインダ装置は、ファインダ装置内に入射した被写体像を撮像して補助画像を取得する補助撮像素子と、前記補助撮像素子で撮像した前記補助画像に対して各種の画像処理を施す画像処理基板と、前記無線通信部を有する無線通信基板とをさらに備え、
前記補助撮像素子に対して前記撮像素子へ入射する被写体像光束の光軸とは反対側に前記画像処理基板を設け、前記画像処理基板に対して前記撮像素子へ入射する被写体像光束の光軸とは反対側に前記無線通信基板を設け、前記アンテナを前記無線通信基板上において前記画像処理基板とは反対側に設けたことを特徴とするカメラ。
【請求項５】
請求項４に記載のカメラにおいて、
前記アンテナは前記ファインダ装置の外面に露出して設けられることを特徴とするカメラ。
【請求項６】
請求項１乃至５のいずれか一項に記載のカメラにおいて、
前記ファインダ装置は前記カメラ本体に着脱機構を介して設けられることを特徴とするカメラ。
【発明の詳細な説明】
【技術分野】
【０００１】
本発明は、無線通信可能なカメラに関する。
【背景技術】
【０００２】
従来から、外部機器と無線通信をするためのアンテナおよび無線通信回路を搭載したカメラが知られている（たとえば特許文献１および２）。
【特許文献１】特開２００５−１６７３６６号公報
【特許文献２】特開２００１−３３３３０７号公報
【発明の開示】
【発明が解決しようとする課題】
【０００３】
しかしながら、アンテナをボディ内部やグリップ内部に搭載しているので、アンテナによる送受信可能な方向が制限されるという問題がある。
【課題を解決するための手段】
【０００４】
請求項１の発明によるカメラは、カメラ本体に設けられ、被写体像を撮像して画像を取得する撮像素子と、カメラ本体に入射した撮像素子への被写体像光束を反射する反射部材と、反射部材により反射された被写体像光束が入射するファインダ装置と、アンテナを介して無線により外部機器と情報の送信または受信を行なう無線通信部とを備え、アンテナをファインダ装置に設けたことを特徴とする。
請求項２の発明は、請求項１のカメラにおいて、ファインダ装置は、入射した被写体像光束を接眼光学系へ導く光学部材を備え、アンテナおよび無線通信部は、光学部材に対して撮像素子へ入射する被写体像光束の光軸とは反対側に配置されることを特徴とする。
請求項３の発明は、請求項２のカメラにおいて、光学部材はペンタプリズムまたはペンタミラーであることを特徴とする。
請求項４の発明は、請求項１のカメラにおいて、ファインダ装置は、ファインダ装置内に入射した被写体像を撮像して補助画像を取得する補助撮像素子と、補助撮像素子で撮像した補助画像に対して各種の画像処理を施す画像処理基板と、無線通信部を有する無線通信基板とをさらに備え、補助撮像素子に対して撮像素子へ入射する被写体像光束の光軸とは反対側に画像処理基板を設け、画像処理基板に対して撮像素子へ入射する被写体像光束の光軸とは反対側に無線通信基板を設け、アンテナを無線通信基板上において画像処理基板とは反対側に設けたことを特徴とする。
請求項５の発明は、請求項４のカメラにおいて、アンテナはファインダ装置の外面に露出して設けられることを特徴とする。
請求項６の発明は、請求項１乃至５のいずれか一項のカメラにおいて、ファインダ装置はカメラ本体に着脱機構を介して設けられることを特徴とする。
【発明の効果】
【０００５】
本発明によれば、ファインダ装置内に配置した無線通信基板とアンテナにより、送受信可能な方向が制限されない。
【発明を実施するための最良の形態】
【０００６】
−第１の実施の形態−
図１、２を参照して、本発明の第１の実施の形態による電子カメラを説明する。図１は電子カメラの外観を説明する図であり、図１（ａ）は電子カメラの平面図、図１（ｂ）は電子カメラの正面図である。図２は、図１のII−II線断面図である。
電子カメラ１は、カメラ本体ＣＡと、カメラ本体ＣＡに着脱機構を介して装着されるファインダ装置２と、カメラ本体ＣＡに交換可能に装着される撮影レンズ３を備えるレンズ鏡筒４とを備えて構成されている。電子カメラ１の上面には、電源スイッチ１０１、レリーズスイッチ１０２、モードダイヤル１０３、および通信スイッチ１０４が設けられている。モードダイヤル１０３の操作により、撮影モードや再生モードなどへの切り替えができる。通信スイッチ１０４の操作により通信モードに設定されると、電子カメラ１から画像データをパソコンやプリンタなどの外部機器に送信したり、外部機器からの各種データを受信することができる。
【０００７】
図２に示すように、電子カメラ１は、クイックリターンミラー１１０、第１光学フィルタ１１１、第１撮像素子１１２、シャッタ１１３、第１回路基板１１４、焦点検出用装置１１５、ＬＣＤ１１６、およびバッテリー１１７を有する。また、ファインダ装置２は、第２光学フィルタ２０１、第２撮像素子２０２、第２回路基板２０３、無線通信基板２０４、およびアンテナ２０５を有する。
【０００８】
第１撮像素子１１２は、受光した被写体光（被写体像光束）をその強度に応じた画像信号に変換するＣＣＤやＣＭＯＳなどの光電変換素子である。撮影レンズ３と第１撮像素子１１２との間には、撮影レンズ３を通過した被写体光をファインダ装置２へと反射するクイックリターンミラー１１０が配設されている。被写体光の一部はクイックリターンミラー１１０の半透過領域を透過し、サブミラー１１０ａにより下方に反射され、焦点検出用装置１１５へ入射される。焦点検出用装置１１５は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。一対のＣＣＤラインセンサからの焦点検出信号は第１回路基板１１４へ入力される。
【０００９】
レリーズスイッチ１０２が全押し操作されると、クイックリターンミラー１１０が被写体光の光軸Ｌ１上から光路外へと回動し、第１撮像素子１１２の結像面１１２ａ上に被写体像が結像する。第１撮像素子１１２の直前（被写体側）には、シャッタ１１３および第１光学フィルタ１１１が設けられている。第１光学フィルタ１１１は、たとえばローパスフィルタや赤外カットフィルタなどを備える。
【００１０】
第１撮像素子１１２の後方には、薄板状の第１回路基板１１４が配置されている。第１回路基板１１４には、第１撮像素子１１２を駆動するためのタイミング信号生成回路、Ａ／Ｄ変換回路、画像処理回路、および各部の制御を行なう制御回路などの各種の電子部品が配置されている。第１撮像素子１１２から出力される画像信号に基づいて、第１回路基板１１４上の画像処理回路により画像データが生成される。生成された画像データにより電子カメラ１の背面に設けられたＬＣＤ１１６に撮像した画像が表示される。また、第１回路基板１１４の制御回路には、上述した電源スイッチ１０１、レリーズスイッチ１０２、モードダイヤル１０３および通信スイッチ１０４などによる操作信号が入力される。
【００１１】
バッテリー１１７は、電子カメラ１内部の最下部に配置される。バッテリー１１７は、電子カメラ１内の各部に電力を供給するとともに、不図示の接点を介してファインダ装置２の電子部品へも電力を供給する。
【００１２】
ファインダ装置２の筐体２００はたとえばプラスチックなどの素材、すなわち無線周波数帯域の電磁波を通過させる素材で形成されている。ファインダ装置２の内部には、上述した各構成要素が、被写体像光束の入射側から、第２光学フィルタ２０１、第２撮像素子２０２、第２回路基板２０３、無線通信基板２０４、アンテナ２０５の順序で配置されている。すなわち、第２回路基板２０３は第２撮像素子２０２に対して光軸Ｌ１とは反対側、無線通信基板２０４は第２回路基板２０３に対して光軸Ｌ１とは反対側に配置される。レリーズスイッチ１０２が操作されるまでは、電子カメラ１のクイックリターンミラー１１０で上方へ反射された被写体光は、第２光学フィルタ２０１へ導かれる。第２光学フィルタ２０１は、第１光学フィルタ１１１と同様に、ローパスフィルタや赤外カットフィルタなどを備える。
【００１３】
第２光学フィルタ２０１を通過した被写体光は第２撮像素子２０２へ導かれ、その結像面２０２ａ上に被写体像が結像する。第２撮像素子２０２は、撮影レンズ３に対して第１撮像素子１１２と光学的に等価な位置に配設され、その結像面２０２ａは、ファインダ装置２へ入射する被写体光の光軸Ｌ２に直交する。第２撮像素子２０２は、画素に対応する複数の光電変換素子を備えたＣＣＤやＣＭＯＳなどによって構成される。第２撮像素子２０２は、結像面２０２ａ上に結像されている被写体像を撮像し、被写体像の明るさに応じた光電変換信号を第２回路基板２０３へ出力する。
【００１４】
第２回路基板２０３は薄板上に形成され、その表面が、第２撮像素子２０２と同様に、被写体光の光軸Ｌ２と直交する向き、すなわち結像面２０２ａとほぼ平行に配置される。第２回路基板２０３には、第２撮像素子２０２から入力した光電変換信号をデジタルの画像信号に変換するＡ／Ｄ変換回路や、画像データを生成するための画像処理回路などの各種の電子部品が配置されている。第２回路基板２０３で生成された画像データは、不図示の接点を介して電子カメラ１内部の第１回路基板１１４へ出力される。
【００１５】
無線通信基板２０４も同様に薄板状に形成され、その表面が、第２撮像素子２０２および第２回路基板２０３と同様に、被写体光の光軸Ｌ２と直交する向きに配置される。すなわち、第２撮像素子２０２、第２回路基板２０３および無線通信基板２０４はそれぞれ互いにほぼ平行になるように配置されている。無線通信基板２０４の表面には、たとえばＰＴＰ／ＩＰ方式やＦＴＰ方式などによる無線ＬＡＮで外部機器と無線通信するために必要な電子部品が、裏面すなわち第２回路基板２０３とは反対側の面にはアンテナ２０５が配置されている。
【００１６】
無線通信基板２０４の裏面には、すなわちファインダ装置２の天井に最も近い位置には、アンテナ２０５が実装される。その結果、アンテナ２０５は、図１（ｂ）に示すように、電子カメラ１の最上部に配置される。アンテナ２０５は、いわゆるチップアンテナであり、画像データなどの情報を外部機器へ送信したり、または外部機器からのデータを受信するためのインタフェースとしての機能を有している。なお、図２に示すようにアンテナ２０５の電波送受信面はファインダ装置２の筐体２００を貫通してカメラ上方に露出している。
【００１７】
上述した構成を有する電子カメラ１の動作について説明する。
電源スイッチ１０１がオン操作されて、モードダイヤル１０３により撮影モードに設定されると、第２撮像素子２０２は、たとえば１／３０秒周期ごとに結像面２０２ａに結像した被写体像に対応する光電変換信号を第２回路基板２０３へ出力する。第２回路基板２０３は、この光電変換信号に対して種々の処理を施して生成した画像データを、不図示の接点を介して電子カメラ１内の第１回路基板１１４へ出力する。第１回路基板１１４においては、入力した画像データに基づいて表示用画像データが作成されて、画像が動画像としてＬＣＤ１１６に表示される。すなわち、ＬＣＤ１１６は電子ビューファインダとして機能する。また、第２回路基板２０３は、光電変換信号に対して種々の処理を施して生成した画像データを無線通信基板２０４へ出力することも可能である。無線通信基板２０４では、受信した画像データをアンテナ２０５を介して送信する。無線出力された画像データは、表示モニタを有する無線受信可能な外部機器（たとえば無線通信可能なパーソナルコンピュータや携帯電話など）で受信され、動画像として外部機器の表示モニタに表示される。すなわち、外部機器の表示モニタを電子ビューファインダとして利用することができる。
【００１８】
レリーズスイッチ１０２が全押しされて本撮影が指示されると、上述したようにクイックリターンミラー１１０が被写体光の光軸Ｌ１の光路外に回動される。そして、第１撮像素子１１２の結像面１１２ａに結像した被写体像に対応する光電変換信号が第１回路基板１１４へ出力される。第１回路基板１１４は、入力した光電変換信号に種々の処理を施して画像データを生成する。生成された画像データは、ＪＰＥＧ方式などの方式で圧縮されて不図示の記録媒体に記録される。また、第１回路基板１１４においては、生成した画像データに基づいて表示用画像データが作成されて、画像がＬＣＤ１１６に表示される。
【００１９】
モードダイヤル１０３により再生モードが設定されると、不図示の記録媒体に記録されている画像データが第１回路基板１１４に読み出される。読み出された画像データに基づいて、第１回路基板１１４により表示用画像データが作成されて、ＬＣＤ１１６に表示される。
【００２０】
通信スイッチ１０４により通信モードが設定されると、情報を送受信することができる。通信モードとしては、電子カメラ１で撮影が行われるたびに画像データを送信する第１モードや、既に記録されている画像データの中から送信すべき画像データを選択して送信する第２モード、第２撮像素子２０２で撮像された画像データをアンテナ２０５より無線出力する第３モードなどがある。通信モードが設定されると、第１回路基板１１４の制御回路は、アンテナ２０５を介して外部機器との通信を確立する。通信が確立されると、第１モードでは、第１回路基板１１４の制御回路は、上述した本撮影により生成された画像データをアンテナ２０５を介して外部機器へ送信する。第２モードでは、第１回路基板１１４の制御回路は、不図示の記録媒体に記録された画像データを読み出して、アンテナ２０５を介して外部機器へ送信する。また、外部機器から送信されたデータをアンテナ２０５で受信して、電子カメラ１に取り込むこともできる。第３モードでは、第１回路基板１１４の制御回路は、第２回路基板２０３で生成された画像データをアンテナ２０５を介して外部機器へ送信する。
【００２１】
以上で説明した第１の実施の形態の電子カメラ１によれば、以下の作用効果が得られる。
（１）電子カメラ１に着脱可能に装着されるファインダ装置２の内部に、無線通信基板２０４およびアンテナ２０５を設けるようにした。したがって、一般的にカメラを正位置に構えた際に、アンテナ２０５が電子カメラ１の上部に位置することにより、撮影者の手や頭などにより通信方向が妨げられないので、アンテナ２０５の送受信可能な範囲を拡大することができる。
【００２２】
（２）アンテナ２０５がファインダ装置２の天井面に配置されるようにした。したがって、アンテナ２０５の通信方向が、撮影者の手や頭、もしくはファインダ装置２の内部に搭載される他の基板などにより妨害されないので、アンテナ２０５による情報の送信または受信が確実に実行される。
【００２３】
（３）ファインダ装置２内において、被写体光の光軸Ｌ２方向に沿って、第２撮像素子２０２、第２回路基板２０３および無線通信基板２０４の順序でそれぞれがほぼ平行に配置されるようにした。したがって、ファインダ装置２の光軸Ｌ２方向へ各種基板を効率的に配置することができるので、ファインダ装置２の光軸Ｌ２方向への小型化が可能になる。
【００２４】
（４）さらに、アンテナ２０５は、ファインダ装置２の天井面、すなわち無線通信基板２０４上において第２撮像素子２０２および第２回路基板２０３と対向しない面に設けられるようにした。したがって、アンテナ２０５は第２撮像素子２０２および第２回路基板２０３によるノイズの影響を受けずに良好な送受信性能を得ることができるとともに、各基板間の光軸Ｌ２方向への距離を最小にしてファインダ装置２の小型化に寄与することができる。
【００２５】
（５）アンテナ２０５をチップアンテナとし、その電波送受信面がカメラ外方へ露出するようにした。したがって、上記（４）の作用効果がより一層発揮される。
【００２６】
−第２の実施の形態−
図３、４を用いて、本発明の第２の実施の形態による電子カメラについて、第１の実施の形態の電子カメラ１との相違点を主に説明する。第２の実施の形態１のファインダ装置は光学式ファインダ装置である。この光学式ファインダ装置は、ペンタプリズム５０３、無線通信基板５０６およびアンテナ５０７を備えている。図３は電子カメラ１の外観を説明する図であり、図３（ａ）は電子カメラ１の平面図、図３（ｂ）は電子カメラ１の正面図である。図４は、図３（ｂ）のIV−IV面図である。
第２の実施の形態における電子カメラ１のファインダ装置５は、不図示の着脱機構を介してカメラ本体ＣＡに着脱可能に装着されている。ファインダ装置５は筐体５０１の内部に、焦点板５０２、ペンタプリズム５０３、リレーレンズ５０４、接眼レンズ５０５、無線通信基板５０６、およびアンテナ５０７を備える。
【００２７】
レリーズスイッチ１０２が操作されるまでは、撮影レンズ３を通過した被写体光はクイックリターンミラー１１０で反射されてファインダ装置５へ導かれる。そして、被写体光は第１撮像素子１１２と光学的に等価な位置に設けられた焦点板５０２上に結像する。焦点板５０２に結像された被写体像は、ペンタプリズム５０３によりファインダ装置５への入射方向とは異なる方向へ変更されてリレーレンズ５０４を通って接眼レンズ５０５に導かれる。その結果、被写体像が撮影者に観察される。なお、被写体像光束を入射方向とは異なる方向へ変更するものであれば、ペンタプリズム５０３に代えてペンタミラーなどの光学部材を用いてもよい。
【００２８】
無線通信基板５０６は、第１の実施の形態における無線通信基板２０４と同様に薄板状に形成され、その表面が、被写体光の光軸Ｌ２と直交する向きに配置される。すなわち、無線通信基板５０６は、結像面である焦点板５０２とほぼ平行に配置される。無線通信基板５０６には、後述するアンテナ５０７と、アンテナ５０７を介して外部機器と通信するために必要な電子部品とが配置されている。無線通信基板５０６におけるファインダ装置５の天井面側には、アンテナ５０７が実装される。その結果、アンテナ５０７は、図３（ｂ）に示すように、電子カメラ１の最上部、すなわちペンタプリズム５０３に対して光軸Ｌ１とは反対側の頂部に配置される。アンテナ５０７は、第１の実施の形態のアンテナ２０５と同様に、チップアンテナであり、外部機器と画像データなどの送受信をする。このアンテナ５０７の電波送受信面もカメラの外方に露出している。
【００２９】
第２の実施の形態における電子カメラ１においても、撮影モードでレリーズスイッチ１０２が全押し操作された場合、再生モードが選択された場合、および通信モードが設定された場合は、第１の実施の形態における電子カメラ１と同様の動作をする。
【００３０】
以上で説明した第２の実施の形態の電子カメラ１によれば、以下の作用効果が得られる。
アンテナ５０７および無線通信基板５０６をファインダ装置５内部のペンタプリズム５０３に対して光軸Ｌ１とは反対側の頂部に設けるようにした。したがって、アンテナ５０７をファインダ装置５の天井に最も近い位置に配置するので、ペンタプリズム５０３の形状や、撮影者の手や頭などによりアンテナ５０７の通信方向が遮蔽されず、アンテナ５０７の送受信可能な範囲を拡大することができる。
【００３１】
−第３の実施の形態−
図５、６を用いて、本発明の第３の実施の形態によるレンズ一体型電子カメラ６について、第１の実施の形態の電子カメラ１との相違点を主に説明する。図５は電子カメラ６の外観を説明する図であり、図５（ａ）は電子カメラ６の平面図、図５（ｂ）は電子カメラ６の正面図である。図６は、図５（ｂ）のVI−VI線断面図である。
【００３２】
図５に示すように、電子カメラ６の上面には、電源スイッチ６０１、レリーズスイッチ６０２、モードダイヤル６０３、および通信スイッチ６０４が設けられている。電子カメラ６の正面には、撮影レンズ３と閃光装置６０５とが設けられている。なお、電子カメラ６のボディにおいて、後述するアンテナ６１５の周辺部（図６の斜線領域ｒ１）については、たとえばプラスチックなどの無線周波数帯を透過する材料を用いて形成される。
【００３３】
図６に示すように、電子カメラ６内部には、撮影レンズ３、光学フィルタ６１１、撮像素子６１２、回路基板６１３、無線通信基板６１４、アンテナ６１５、ＬＣＤ６１６、コンデンサ６１７、バッテリー６１８、および外部記録装置６１９を備える。撮像素子６１２は、第１の実施の形態における第１撮像素子１１２と同様な機能を有し、その結像面６１２ａは、撮影レンズ３および光学フィルタ６１１を通過した被写体光の光軸Ｌ１に直交する。
【００３４】
撮像素子６１２は、長方形の薄板状の回路基板６１３に実装されている。回路基板６１３は被写体光の光軸Ｌ１と直交するように配置されている。すなわち、回路基板６１３は電子カメラ６のボディ内部で結像面６１２ａとほぼ平行に配置され、その長手方向の長さは電子カメラ６の横方向の長さとほぼ等しい。回路基板６１３は、第１の実施の形態の第１回路基板１１４と同様に、撮像素子６１２を駆動するためのタイミング信号生成回路、Ａ／Ｄ変換回路、画像処理回路、および各部を制御する制御回路などの各種の電子部品も実装している。撮像素子６１２から出力される画像信号に基づいて回路基板６１３の制御回路で表示用画像データを生成し、電子カメラ６の背面に設けられたＬＣＤ６１６に撮像した画像が表示される。ＬＣＤ６１６も同様に薄板形状を有し、その平面は被写体光の光軸Ｌ１に直交する。
【００３５】
図６に示すように、回路基板６１３の前面（被写体側）の左側には、バッテリー６１８、および外部記録装置６１９が設けられ、右側には、閃光装置６０５を発光させるためのコンデンサ６１７が配置される。また、回路基板６１３の背面の右側には、薄板状の無線通信基板６１４が、その平面が光軸Ｌ１と直交するように配置されている。すなわち、撮像素子６１２、回路基板６１３および無線通信基板６１４は、それぞれ互いにほぼ平行に配置されている。
【００３６】
図５（ｂ）に示すように、無線通信基板６１４は電子カメラ６の天井に近い位置、具体的には正面視で右上隅に設けられ、そのカメラ背面側実装面にはアンテナ６１５が実装されている。無線通信基板６１４およびアンテナ６１５は、第１の実施の形態における無線通信基板２０４およびアンテナ２０５と同様の機能を有する。
【００３７】
第３の実施の形態における電子カメラ６においても、通信モードが設定された場合は、第１の実施の形態における電子カメラ１と同様に、外部機器との間で画像データなどの各種データの送受信が行なわれる。
【００３８】
以上で説明した第３の実施の形態の電子カメラ６によれば、以下の作用効果が得られる。
（１）撮像素子６１２、回路基板６１３および無線通信基板６１４は、入射光の光軸Ｌ１に直交する面に、それぞれ互いにほぼ平行に配置されるようにした。したがって、電子カメラ６の厚み方向に対して内部の配置を効率的に行なうことができるので、電子カメラ６の小型化が可能になる。
【００３９】
（２）無線通信基板６１４のカメラ背面側実装面にアンテナ６１５を実装し、無線通信基板６１４を電子カメラ６の背面に最も近い位置で、かつカメラ上面近傍に実装した。また、画像処理回路を実装した回路基板６１３と閃光装置用メインコンデンサ６１７を、無線通信基板６１４のカメラ前面側に配置した。したがって、アンテナ６１５は、回路基板６１３およびコンデンサ６１７によるノイズの影響を受けずに、外部機器との良好に通信することができる。
【００４０】
以上で説明した実施の形態を以下のように変形できる。
（１）第３の実施の形態において閃光装置６０５およびコンデンサ６１７を搭載しない場合は、無線通信基板６１４およびアンテナ６１５を図７に示す位置に配置してもよい。すなわち、図７において、回路基板６１３の前面側実装面上の撮像素子６１２の右側に、無線通信基板６１４をその平面が入射光の光軸Ｌ１と直交するように配置する。そして、無線通信基板６１４のカメラ前面側実装面にアンテナ６１５を実装するようにしてもよい。なお、図７は図６と同様の水平断面図である。
【００４１】
（２）図８に示すように、１つの基板７００に画像処理回路７０１、電源回路７０２、およびアンテナ７０３が設けられた無線回路７０４を実装するようにしてもよい。この場合、入射光の光軸と直交する面に平行に配置された基板７００のカメラ前面側実装面上の被写体側に画像処理回路７０１および電源回路７０２を実装し、カメラ背面側実装面に無線回路７０４を実装すればよい。なお、図８は図６と同様の水平断面図である。
【００４２】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４３】
【図１】第１の実施の形態による電子カメラの外観を説明する図であり、（ａ）は平面図を示し、（ｂ）は正面図を示す。
【図２】第１の実施の形態による電子カメラの内部配置を説明する図である。
【図３】第２の実施の形態による電子カメラの外観を説明する図であり、（ａ）は平面図を示し、（ｂ）は正面図を示す。
【図４】第２の実施の形態による電子カメラの内部配置を説明する図である。
【図５】第３の実施の形態による電子カメラの外観を説明する図であり、（ａ）は平面図を示し、（ｂ）は正面図を示す。
【図６】第３の実施の形態による電子カメラの内部配置を説明する図である。
【図７】第３の実施の形態による電子カメラを変形した場合の内部配置を説明する図である。
【図８】１つの基板上に画像処理回路、電源、および無線回路を実装する場合の内部配置を説明する概念図である。
【符号の説明】
【００４４】
１        電子カメラ                    ２、５    ファインダ装置
１１０    クイックリターンミラー        １１２    第１撮像素子
１１２ａ  第１結像面                    １１４    第１回路基板
２０２    第２撮像素子                  ２０２ａ  第２結像面
２０３    第２回路基板                  ２０４、５０６、６１４  無線通信基板
２０５、５０７、６１５  アンテナ        ６１３    回路基板
【図１】
2008244735.tif 000003
【図２】
2008244735.tif 000004
【図３】
2008244735.tif 000005
【図４】
2008244735.tif 000006
【図５】
2008244735.tif 000007
【図６】
2008244735.tif 000008
【図７】
2008244735.tif 000009
【図８】
2008244735.tif 000010